(57)【特許請求の範囲】
【請求項１】
表示器と、
指標部を有し前記表示器の周囲を取り巻くとともに前記表示器を視認可能に配置される表示板と、
前記表示器の背後に配置される駆動装置と、
前記駆動装置の指針軸に連結され前記指針軸を回転中心として旋回することにより前記指標部を指示する指針とを有し、
前記指針が、前記指針軸の周囲に位置する基部と、前記指標部を指示する指示部とを備えてなる指針式計器において、
前記駆動装置側に設けられるコイルと、
前記指示部を発光させるべく前記指針に配設される光源と、
前記コイルと電磁誘導が可能なように前記表示器と前記基部との間に配設されるコイル状配線部及び前記コイル状配線部と前記光源とを導通接続する導電配線部を有する配線部材とを備え、
前記コイルと前記コイル状配線部との間の電磁誘導作用により、前記導電配線部を介して前記光源に給電がなされる構成とし、
前記駆動装置は、配線パターンが施された回路基板の背面側に位置し、
前記コイルは、前記回路基板上に配設された枠体内に収納され、
前記コイルと前記枠体との間に第１の磁気シールド部材を介在させたことを特徴とする指針式計器。
【請求項２】
前記コイル状配線部が、前記配線基板の母材となる絶縁基板の表裏に形成された表面側コイル状配線部と背面側コイル状配線部とを備え、
前記絶縁基板を挟んで前記表面側コイル状配線部と前記背面側コイル状配線部とが対向していない構成であることを特徴とする請求項１記載の指針式計器。
【請求項３】
前記配線部材が、前記基部に密着するように配設されてなることを特徴とする請求項１記載の指針式計器。
【発明の詳細な説明】
【技術分野】
【０００１】
本発明は、文字板や表示器等からなる表示部材の前方を回動する指針を備えた指針式計器に関するものである。
【背景技術】
【０００２】
従来、この種の指針式計器にあっては、例えば特許文献１に記載されているものが知られている。この特許文献１に記載の指針式計器は、所定の意匠部（例えば数字や目盛）を有する文字板からなる表示部材と、この表示部材の背後に配置される回路基板と、この回路基板の背後に導通装着され指針軸が回路基板に設けた孔部を貫通して表示部材側に突出する駆動装置と、この駆動装置の指針軸に連結され指針軸を回転中心として旋回することにより前記意匠部を指示する指針とを備えている。
【０００３】
指針は、表示部材を避けるように略コの字状に形成され、表示部材の背面側を前記回転中心方向とは反対方向である反回転中心方向に向けて延びる略棒状の腕片からなる第１の指針部と、表示部材の側方周囲と表示部材の前方側に配設され、第１の指針部に連結される略Ｌ字形状の連結体とを有している。
【０００４】
この連結体は、透光性合成樹脂からなり、表示部材の側方周囲に位置する第２の指針部と、表示部材の前方側を前記意匠部を指示するように前記回転中心方向に延びる指示部としての第３の指針部とが一体形成されたもので、第２の指針部の下端部分に対応する第１の指針部箇所には貫通孔が形成され、この貫通孔に第２の指針部の下端部分が嵌め込まれることで、第１の指針部と連結体とが連結される。そして、第２の指針部の下端部分の背面に光源を固定（配設）した構成となっている。
【０００５】
かかる光源は、第２の指針部を介して第１の指針部と連結されてなる第３の指針部（前記指示部）を発光させる発光体からなり、光源から発せられる照明光は、光源の真上に位置する第２の指針部を通じて第３の指針部へと導光され、これにより第３の指針部が発光することになる。また、特許文献１に記載の指針式計器では、光源に点灯用電力を供給すべく、光源と回路基板とがフレキシブル配線板からなる可撓性基板を介して導通接続されている。そして、この可撓性基板は、指針の回動に追従するために、表示部材の背後に配置される駆動装置の指針軸に巻き付くように設けられており、その中間部に所定の弛みを備えたものであった。
【０００６】
他方、特許文献２に記載されているような指針式計器も知られている。この特許文献２に記載の指針式計器では、前述した特許文献１に記載の指針式計器にて採用していた文字板に代えて液晶表示器のごとき表示器を表示部材として採用し、この表示器の周囲を取り巻くとともに表示器を視認可能な窓部が形成された表示板を表示器の前方に別途、追加した構成となっており、指針が表示器と表示板の双方を迂回するように略Ｓ字状に屈曲して延びている。なお、前記表示器には走行距離情報や燃費情報等の各種情報が表示されるとともに、前記表示板は数字や目盛等の指標部を有している。
【０００７】
また特許文献２に記載の指針式計器に備えられる指針は、指針軸の周囲に位置しつつ表示器の背面側を前記反回転中心方向に向けて延びる第１の指針部と表示器の厚み方向に延びる第２の指針部と表示器よりも前方側であって表示器と表示板との間を前記回転中心方向に延びる第３の指針部とでなる基部である迂回部と、第３の指針部に連続し表示板の窓部の内周を表示板の厚み方向に延びる第４の指針部と、この第４の指針部に連続し表示板の前方側を前記反回転中心方向に延び前記指標部を指示する指示部としての第５の指針部とを有している。
【先行技術文献】
【特許文献】
【０００８】
【特許文献１】国際公開第２００６／５８２１号
【特許文献２】特開２００５−１８１３０１号公報
【発明の概要】
【発明が解決しようとする課題】
【０００９】
以下、特許文献１に記載の指針式計器の構成を基本構成として、かかる基本構成に対し、その一部を特許文献２に記載の指針式計器の構成部品で置き換えた場合の他の指針式計器の構成について述べる。
【００１０】
他の指針式計器の一構成例として、特許文献１に記載の指針式計器に備えられる文字板としての表示部材を特許文献２に記載されているような前述した表示器に置き換えるとともに、特許文献１に記載の指針式計器に備えられる略コの字状の指針を特許文献２に記載されているような前述した略Ｓ字状の指針に置き換えた構成が考えられる。当然、この場合、指針として略Ｓ字状の指針を用いているので、上述した特許文献２の記載の指針式計器のごとく、前記表示器の前方に、第５の指針部によって指示される指標部を有する表示板を設ける必要がある。
【００１１】
具体的には、上述の他の指針式計器の一構成例として、前記各種情報を表示する表示器と、指標部を有し表示器の前方周囲を取り巻くとともに表示器を視認可能に配置される表示板と、表示器の背後に配置される駆動装置と、駆動装置の指針軸に連結され指針軸を回転中心として旋回することにより指標部を指示する指針とを有し、指針が、指針軸の周囲に位置する第１の指針部と表示器の側方側に位置する第２の指針部と表示器の前方側に位置する第３の指針部とでなる迂回部（基部）と、第３の指針部に連続し表示板の窓部の内周を表示板の厚み方向に延びる第４の指針部と、この第４の指針部に連続し表示板の前方側を前記反回転中心方向に延び指標部を指示する指示部としての第５の指針部とを備えた構成が考えられる。
【００１２】
また、指針の指示部を発光させるには、特許文献１に記載の技術思想を用いて、第２の指針部の下端部背面に光源を固定し、光源と回路基板とを可撓性基板にて導通接続するとともに第２〜第５の指針部を透光性合成樹脂にて形成し、光源から発せられる照明光を第２の指針部、第３の指針部、第４の指針部を通じて指示部である第５の指針部へと導光させることで、指示部を発光させることが可能となる。
【００１３】
ところで、可撓性基板は、上述のように指針の回動に追従するために、表示器の背後に配置される駆動装置の指針軸に巻き付くように設けられており、その中間部に所定の弛みを備えたものである。このため、上述した他の指針式計器の構成を採用した場合、指針の動きに連動して、可撓性基板の指針軸への巻き付き状態が時々刻々と変化することで、経時変化に伴い可撓性基板が断線する虞がある。可撓性基板が断線した場合には、光源に安定した電力（前記点灯用電力）を供給することができないという問題点があり、この点で更なる改良の余地が残されていた。
そこで本発明は、前述の課題に対して対処するため、光源に安定した電力を供給することが可能な指針式計器の提供を目的とするものである。
【課題を解決するための手段】
【００１４】
本発明は、表示器と、指標部を有し前記表示器の周囲を取り巻くとともに前記表示器を視認可能に配置される表示板と、前記表示器の背後に配置される駆動装置と、前記駆動装置の指針軸に連結され前記指針軸を回転中心として旋回することにより前記指標部を指示する指針とを有し、前記指針が、前記指針軸の周囲に位置する基部と、前記指標部を指示する指示部とを備えてなる指針式計器において、前記駆動装置側に設けられるコイルと、前記指示部を発光させるべく前記指針に配設される光源と、前記コイルと電磁誘導が可能なように前記表示器と前記基部との間に配設されるコイル状配線部及び前記コイル状配線部と前記光源とを導通接続する導電配線部を有する配線部材とを備え、前記コイルと前記コイル状配線部との間の電磁誘導作用により、前記導電配線部を介して前記光源に給電がなされる構成とし、前記駆動装置は、配線パターンが施された回路基板の背面側に位置し、前記コイルは、前記回路基板上に配設された枠体内に収納され、前記コイルと前記枠体との間に第１の磁気シールド部材を介在させたことを特徴とする。
【００１５】
また本発明は、前記コイル状配線部が、前記配線基板の母材となる絶縁基板の表裏に形成された表面側コイル状配線部と背面側コイル状配線部とを備え、前記絶縁基板を挟んで前記表面側コイル状配線部と前記背面側コイル状配線部とが対向していない構成であることを特徴とする。
【００１６】
また本発明は、前記配線部材が、前記基部に密着するように配設されてなることを特徴とする。
【発明の効果】
【００１７】
本発明によれば、初期の目的を達成でき、光源に安定した電力を供給することが可能な指針式計器を提供できる。
【図面の簡単な説明】
【００１８】
【図１】本発明の実施形態による指針式計器の正面図。
【図２】図１のＡ−Ａ断面図。
【図３】図２中、Ｂ部を拡大して示す拡大断面図。
【図４】（ａ）は同実施形態による表示器側から見たときの配線部材の要部正面図であり、（ｂ）は同実施形態によるコイルユニット側から見たときの配線部材の要部背面図である。
【発明を実施するための形態】
【００１９】
以下、図１から図４に基づいて、本発明を車両に搭載された速度計からなる指針式計器に適用した一実施形態を説明する。
【００２０】
図１、図２において、指針式計器Ｍは、車両の速度を表示する速度計からなり、表示器１０と、表示板２０と、縁部材３０と、導光体４０と、回路基板５０と、駆動装置６０と、指針７０と、発光体８０とから主に構成されている。
【００２１】
表示器１０は、例えば液晶パネルからなり、表示板２０の後述する第１の窓部の形状に対応した円形の外形形状を有し、回路基板５０を通じて電気的に駆動されることにより走行距離情報や燃費情報等をはじめとする各種情報を表示する。
【００２２】
表示板２０は、表示器１０側に配置される第１の表示板２１と、この第１の表示板２１よりも観察者（運転者）に近い位置に配置される第２の表示板２２とに分割形成されてなる。これら表示板２１、２２は、例えば透光性基板の表面に周知のスクリーン印刷等の印刷技術を用いて後述する指標部とこの指標部の背景となる背景部とを印刷してなる。
【００２３】
第１の表示板２１は、例えば円形の平板として形成され、前記印刷技術を用いて、透光性を有する速度数字からなる白色の第１の指標部２１ａと、遮光性を有する黒色の第１の背景部２１ｂとが形成されてなる。
【００２４】
この第１の表示板２１は、表示器１０の外形端部並びに表示器１０の情報表示を行わない周囲領域を取り巻いて覆うように表示器１０の前方側（前記観察者に対面する側）に配置されるとともに、表示器１０の情報表示エリアを視認可能とする第１の窓部２１ｃが形成されている。かかる第１の窓部２１ｃは、本例では表示器１０の情報表示エリアを露出する円形の開口部として形成されているが、例えば前記情報表示エリアを覆う透明な透視部として形成すること可能である。
【００２５】
第２の表示板２２は、第１の表示板２１側となる深部から前記観察者側に向けて徐々にラッパ形に拡径する（径が広がる）とともに第１の表示板２１よりも大きな円錐部２２ａとその外周部とを有している。かかる第２の表示板２２は、前記印刷技術を用いて、例えば透光性を有する速度目盛からなる白色の第２の指標部２２ｂと、遮光性を有する黒色の第２の背景部２２ｃとが形成されているとともに、周知の絞り加工技術を用いて円錐部２２ａ等の立体造形部が形成されている。なお、上述した第１、第２の指標部２１ａ、２２ｂは、後述する本願発明の請求項１における指標部に相当する。
【００２６】
また第２の表示板２２は、第１の表示板２１の外形端部並びにその周囲領域を取り巻いて覆うように第１の表示板２１の前方側に配置されるとともに、前記情報表示エリアや第１の表示板２１の第１の指標部２１ａを視認可能とする円形の第２の窓部２２ｄが形成されている。
【００２７】
なお、これら第１、第２の表示板２１、２２は、第１、第２の窓部２１ｃ、２２ｄが後述する回転中心に対し同心関係になるように、空間部２３を介して前記観察者の視線方向に積層され、この空間部２３に指針７０の後述する迂回部の一部が位置する構成となっている。
【００２８】
縁部材３０は、例えば断面略三角形状で正面視形状が円形の合成樹脂材の表面に金属調のメッキまたは塗装を施した装飾部材からなり、第１の窓部２１ｃの内縁に沿うように表示器１０の前面側に配置されることにより、表示器１０の前記情報表示エリアを縁取るものである。
【００２９】
導光体４０は、例えば透光性合成樹脂からなり、表示器１０並びに第１の表示板２１の背面（前記観察者側とは反対側に位置する面）に沿うように配置され、発光体８０からの照明光を受けて表示器１０及び第１、第２の表示板２１、２２（第１、第２の指標部２１ａ、２２ｂ）を背後側（前記観察者側とは反対側）からバックライト照明する。
【００３０】
回路基板５０は、例えばガラスエポキシ系基材に配線パターン（図示せず）を施した硬質回路基板からなり、この回路基板５０上には、発光体８０と、コイルユニット５１とが載置（搭載）されてなる。
【００３１】
また回路基板５０は、発光体８０と、コイルユニット５１に備えられる後述するコイルと、駆動装置６０の駆動・制御を行う駆動回路（図示せず）と、表示器１０の表示制御を行う表示器駆動回路（図示せず）と、発光体８０の発光制御を行う発光体駆動回路（図示せず）と、抵抗、コンデンサ等の各種回路部品（図示せず）とが前記配線パターンに導通接続されている。
【００３２】
コイルユニット５１は、図３に示すようにコイル５２と、枠体５３と、第１の磁気シールド部材５４とを備えている。
【００３３】
コイル５２は、同一平面内で渦巻き状に形成された平面コイル（扁平コイル）で構成されており、回路基板５０側となる駆動装置６０に備えられる後述する指針軸の末端部分を取り巻くように、駆動装置６０側となる回路基板５０上に設けられている。
【００３４】
枠体５３は、前記指針軸の末端部分を取り巻く貫通部５３ａを有する概略円環形状の板材からなり、その材質は合成樹脂からなる。かかる枠体５３は、回路基板５０上に配設され、内側環状突出部５３ｂと、外側環状突出部５３ｃと、内側環状突出部５３ｂの下端側と外側環状突出部５３ｃの下端側とを繋ぐ略円環板状の円環板部５３ｄとを備えている。
【００３５】
内側環状突出部５３ｂは、貫通部５３ａを取り巻くように表示器１０側（導光体４０側）に突出している。また外側環状突出部５３ｃは、内側環状突出部５３ｂの外側に位置し、且つ内側環状突出部５３ｂと同様に表示器１０側（導光体４０側）に突出している。なお、円環板部５３ｄとこれに対応する回路基板５０箇所とは、両面テープ等（図示せず）により密着固定され、これによりコイルユニット５１（枠体５３）が回路基板５０上に固定（配設）された状態となる。
【００３６】
そして、内側環状突出部５３ｂと外側環状突出部５３ｃと円環板部５３ｄとで囲まれる窪み部分に渦巻き状に形成された平面コイルからなるコイル５２が埋設された構成となっている。つまり、このことは、コイル５２が、枠体５３内に収納された状態であることを意味してなる。
【００３７】
第１の磁気シールド部材５４は、例えば強磁性体において軟磁性体に分類されるＳＰＣ（冷間圧延鋼板）からなり、前記指針軸の末端部分を取り巻くように円環状に形成され、コイル５２と円環板部５３ｄとの間に介在するように枠体５３内に収容される。かかる第１の磁気シールド部材５４は、回路基板５０側となるコイルユニット５１の背後側への磁力線の放出を遮断する機能を備えてなる。
【００３８】
なお、第１の磁気シールド部材５４を、前記冷間圧延鋼板ではなく、例えば詳細図示は省略するがＰＥＴフィルム等の樹脂フィルム上に強磁性金属薄膜からなる強磁性膜を被膜形成した構成を適用することも可能である。この場合、強磁性膜がコイル５２側に位置するように、第１の磁気シールド部材５４が枠体５３内に配置される。
【００３９】
駆動装置６０は、可動磁石式計器またはステッピングモータからなり、導光体４０（表示器１０）の背後に配置され、指針軸６１が表示器１０側に突出している。かかる駆動装置６０は、その本体部が回路基板５０の背面側に位置し、指針軸６１は、回路基板５０を貫通して導光体４０側（表示器１０側）に突出する構成となっている。なお、この場合、指針軸６１は、その回転により回転中心軸Ｒ１を形成するように前方側（表示器１０側）に延びている。
【００４０】
指針７０は、例えば透光性合成樹脂からなり、表示器１０の背面側から側面側を通り表示器１０の前方側（前記観察者側）を回転中心軸Ｒ１側となる回転中心方向（図２中、矢印Ｃ１方向）に折れ曲がる基部である迂回部７１と、第２の表示板２２の前方側を反回転中心方向（矢印Ｃ１方向とは逆方向）に延び第１、第２の指標部２１ａ、２２ｂを指示する指示部７２とを備えている。
【００４１】
迂回部７１は、略コの字状に形成され、表示器１０の背面側を回転中心軸Ｒ１を横切るように表示器１０の長手方向に沿って外側に延び、指針軸６１に連結されるとともに指針軸６１の周囲に位置する腕片からなる第１の指針部７３と、この第１の指針部７３の端部から所定角度（この場合、略９０度）折れ曲がり、表示器１０の側面側を前方に向けて回転中心軸Ｒ１と平行に延びる第２の指針部７４と、この第２の指針部７４の端部から所定角度（この場合、略９０度）折れ曲がり、表示器１０及び第１の表示板２１の前面側と第２の表示板２２の背面側との間にて規定される空間部２３内を回転中心軸Ｒ１方向（つまり矢印Ｃ１方向）に向けて延びる第３の指針部７５とを備えている。
【００４２】
そして、指針軸６１側となる第１の指針部７３の根本部分には、指針軸６１の末端部分６２とは反対側に位置する指針軸６１の先端部分６３を貫通させるための略円形の孔部７３ａが形成されている（図３参照）。また、本例では、第１の指針部７３と第２の指針部７４との境界部分に第１の曲面部Ｓ１を設けるとともに、第２の指針部７４と第３の指針部７５との境界部分に第２の曲面部Ｓ２を設けた構成としている。
【００４３】
一方、指示部７２は、迂回部７１に連結され、第２の表示板２２の前面に沿って前記反回転中心方向に直線状に延び、駆動装置６０の作動に伴って指針軸６１が回転すると、指針軸６１（回転中心軸Ｒ１）を回転中心として第２の表示板２２上を旋回し、第１、第２の指標部２１ａ、２２ｂを指示する。そして、この指示部７２と第３の指針部７５との境界部には、空所７６が設けられ、かかる空所７６に光源７７が配設されてなる。
【００４４】
この光源７７は、適宜色を発する発光ダイオードからなり、指示部７２に照明光を供給し指示部７２を発光させるための発光体であり、可撓性基板９０（つまり可撓性基板９０に備えられる前記導電配線部）上に実装されてなる。
【００４５】
この配線部材である可撓性基板９０は、図３（図２）に示すようにポリイミド等からなる軟質の絶縁基板９１にコイル状配線部９２と導電配線部９３とでなる配線部９４が設けられたフレキシブル配線板からなり、迂回部７１に密着するように配設されてなる。
【００４６】
この場合、可撓性基板９０の母材となる絶縁基板９１は、指針軸６０の先端部分６３が挿通する略円形の挿通孔９５ａを有し、第１の指針部７３前面に密着してなるリング状の円環部９５と、この円環部９５の配設位置以外となる第１の指針部７３の前面箇所、第１の曲面部Ｓ１の内周面、第２の指針部７４の内周面、第２の曲面部Ｓ２の内周面並びに第３の指針部７５背面に密着してなる略細長帯状の帯状部９６とが一体形成された構成となっている。
【００４７】
そして、円環部９５にはコイル５２（コイルユニット５１）の前方側（真上）にコイル状配線部９２が設けられ、帯状部９６にはコイル状配線部９２と光源７７とを導通接続するための導電配線部９３が設けられている。
【００４８】
コイル状配線部９２は、コイル５２と電磁誘導が可能なように表示器１０と迂回部７１における第１の指針部７３との間に配設されてなる。かかるコイル状配線部９２は、絶縁基板９１の表裏にそれぞれ形成された構成となっており、図４（ａ）に示すように円環部９５（絶縁基板９１）の表面に渦巻き状に形成された表面側コイル状配線部Ｆ１と、図４（ｂ）に示すように円環部９５（絶縁基板９１）の背面に渦巻き状に形成された背面側コイル状配線部Ｆ２とを備えている。
【００４９】
表面側コイル状配線部Ｆ１は、その一端側Ｇ１が円環部９５の内方となる挿通孔９５ａの近傍に位置し、且つ、その他端側Ｈ１が円環部９５の外方となる円環部９５と帯状部９６との境界部付近に位置するような渦巻き状の配線パターンとなっており、同様に背面側コイル状配線部Ｆ２は、その一端側Ｇ２が表面側コイル状配線部Ｆ１の一端側Ｇ１に対応するように挿通孔９５ａの近傍に位置し、且つ、その他端側Ｈ２が前記境界部付近に位置するような渦巻き状の配線パターンとなっている。
【００５０】
そして、表面側コイル状配線部Ｆ１の一端側Ｇ１と背面側コイル状配線部Ｆ２の一端側Ｇ２とは、円環部９５（絶縁基板９１）の表裏を貫通する導電性のスルーホールである第１のスルーホール９５ｂを介して導通接続された構成となっている。
【００５１】
また本実施形態では、回路基板５０側とは反対側となる表示器１０側から円環部９５を正視したとき、図２、図３に示すように円環部９５（絶縁基板９１）を挟んで表面側コイル状配線部Ｆ１と背面側コイル状配線部Ｆ２とが重ならない（対向していない）ような位置関係（構成）となっている。
【００５２】
なお、詳細図示は省略するが、円環部９５（表面側コイル状配線部Ｆ１）の前面には、前述した第１の磁気シールド部材５４と略同一形状を有する第２の磁気シールド部材が円環部９５を覆うように配置されている。かかる第２の磁気シールド部材は、末端部分６２と先端部分６３との間に位置する指針軸６０箇所を取り巻くように略円環状に形成され、コイル５２からコイル状配線部９２へと至る磁力線の表示器１０側への放出を遮断する機能を備えてなる。
【００５３】
一方、導電配線部９３は、光源７７に備えられる一対の給電端子（図示せず）に後述する電力を供給するための配線パターンからなり、帯状部９６の表裏面に形成されている。
【００５４】
具体的には、導電配線部９３は、図４（ａ）に示すごとく表面側コイル状配線部Ｆ１の他端側Ｈ１を始点とし、図４（ａ）中、他端側Ｈ１の左方に位置する第１の配線連結部Ｊ１を終点とするように帯状部９６の表面に形成されるライン状の第１の配線パターンＫ１と、図４（ｂ）に示すごとく第１の配線連結部Ｊ１の真下となる帯状部９６の背面箇所（以下、これを第２の配線連結部Ｊ２と定義する）から光源７７側へと延在するように帯状部９６に形成されるライン状の第２の配線パターンＫ２と、同じく図４（ｂ）に示すごとく背面側コイル状配線部Ｆ２の他端側Ｈ２から光源７７側へと延在し、第２の配線パターンＫ２と平行状態をなすように帯状部９６に形成される第３の配線パターンＫ３とを備えてなる。
【００５５】
ここで、第１の指針部７３の略中央部に位置するように帯状部９６に形成された第１の配線連結部Ｊ１とこの第１の配線連結部Ｊ１に対応するように帯状部９６に形成された第２の配線連結部Ｊ２とは、帯状部９６（絶縁基板９１）の表裏を貫通する導電性の第２のスルーホール９６ａを介して導通接続されているものとする。
【００５６】
そして、第２の配線パターンＫ２の第２の配線連結部Ｊ２とは反対側（つまり光源７７側）に位置する図示しない第１の実装部と、第３の配線パターンＫ３の前述した他端側Ｈ２とは反対側（つまり光源７７側）に位置し、前記第１の実装部と並設される図示しない第２の実装部上に、光源７７に備えられる前記一対の給電端子がそれぞれ実装される構成となっている。
【００５７】
ところで、回路基板５０に設けられた電源回路（図示せず）が動作した場合、前記電源回路の動作に伴い、前記電源回路と接続されたコイル５２に交流電流が供給される。
【００５８】
すると、コイル５２と電磁誘導が可能なように可撓性基板９０に形成されたコイル状配線部９２（表面側コイル状配線部Ｆ１及び背面側コイル状配線部Ｆ２）には電磁誘導作用によって電力（前記交流電流）が伝送され、かかる電力は、コイル状配線部９２（表面側コイル状配線部Ｆ１、背面側コイル状配線部Ｆ２）、導電配線部９３（各配線パターンＫ１〜Ｋ３）を経て、導電配線部９３に備えられる前記第１、第２の実装部に導通接続された光源７７へと伝送される。これにより光源７７が点灯し、指示部７２が光輝（発光）することになる。つまり、このことは、コイル５２に前記交流電流が供給されると、コイル５２とコイル状配線部９２との間の前記電磁誘導作用により、コイル状配線部９２と電気的に接続された導電配線部９３を介して光源７７に給電がなされ、指示部７２が光輝することを意味してなる。
【００５９】
発光体８０は、適宜色を発する発光ダイオードからなり、表示器１０及び第１、第２の表示板２１、２２をバックライト照明するものである。
【００６０】
以上のように、本実施形態では表示器１０と、指標部２１ａ、２２ｂを有し表示器１０の周囲を取り巻くとともに表示器１０を視認可能に配置される表示板２１、２２と、表示器１０の背後に配置される駆動装置６０と、この駆動装置６０の指針軸６１に連結され指針軸６１を回転中心として旋回することにより指標部２１ａ、２２ｂを指示する指針７０とを有し、指針７０が、指針軸６１の周囲に位置する基部である迂回部７１と、指標部２１ａ、２２ｂを指示する指示部７２とを備えてなる指針式計器Ｍにおいて、駆動装置６０側に設けられるコイル５２と、指示部７２を発光させるべく指針７０に配設される光源７７と、コイル５２と電磁誘導が可能なように表示器１０と迂回部７１（第１の指針部７３）との間に配設されるコイル状配線部９２及びコイル状配線部９２と光源７７とを導通接続する導電配線部９３を有する可撓性基板９０とを備え、コイル５２とコイル状配線部９２との間の電磁誘導作用により、導電配線部９３を介して光源７７に給電がなされる構成である。また可撓性基板９０が、基部である迂回部７１に密着するように固定（配設）されているものである。
【００６１】
従って、従来のように可撓性基板を駆動装置の指針軸に巻き付け、指針の動き（回動）に連動して、可撓性基板の指針軸への巻き付き状態が時々刻々と変化する構成ではなく、コイル５２と迂回部（基部）７１に密着固定されたコイル状配線部９２との間の電磁誘導作用を利用し、コイル状配線部９２と導通接続可能に迂回部（基部）７１に密着固定された導電配線部９３を介して光源７７に電力供給を行う構成であるから、可撓性基板９０が断線する虞がなくなる。これにより光源７７に安定した電力を供給することが可能な指針式計器を提供することができる。
【００６２】
また本実施形態では、コイル状配線部９２が、円環部９５（可撓性基板９０の母材となる絶縁基板９１）の表裏に形成された表面側コイル状配線部Ｆ１と背面側コイル状配線部Ｆ２とを備え、円環部９５（絶縁基板９１）を挟んで表面側コイル状配線部Ｆ１と背面側コイル状配線部Ｆ２とが対向していない構成であることにより、前記電磁誘導作用に伴う前記電力が、コイル５２との距離が近い背面側コイル状配線部Ｆ２だけでなはくコイル５２との距離が背面側コイル状配線部Ｆ２よりも若干、遠い表面側コイル状配線部Ｆ１においても受信可能となるため、前記電磁誘導作用に伴う前記電力をより効率よくコイル状配線部９２へと伝送させることが可能となる。
【００６３】
また本実施形態では、第２の表示板２２を略円錐形状としたが、例えば第１の表示板２１と同じ平板状に形成し、第１の表示板２１と平行に配置してもよい。
【００６４】
また本実施形態では、第１の表示板２１に速度数字としての第１の指標部２１ａを設けるとともに第２の表示板２２に速度目盛としての第２の指標部２２ｂを設けた例について説明したが、例えば第１の表示板２１と第２の表示板２２のうち、何れか一方の表示板にのみ全ての指標部２１ａ、２２ｂを形成し、他方の表示板は背景部２１ｂ、２２ｃのみを有した背景板として使用することも可能である。
【００６５】
なお本実施形態では、基部である迂回部７１が略コの字状に形成されるとともに指示部７２が第２の表示板２２の前面側に位置している例について説明したが、例えば指示部７２を廃止して第３の指針部７５に指示部としての機能を持たせ、且つ指針軸６１の周囲に位置する第１の指針部７３に前記基部としての機能を持たせるべく指針７０を略コの字状とするとともに、第２の指針部７４と第３の指針部７５との境界付近に位置する第３の指針部７５の背面箇所に凹部形状からなる空所を設け、この空所に導電配線部９３を介してコイル状配線部９２と導通接続可能な光源を配設する構成としてもよい。なお、この場合、光源は、その発光面が第３の指針部７５先端側に向くように空所に配設され、また第１の表示板２１に全ての指標部２１ａ、２２ｂを形成する必要がある。
【符号の説明】
【００６６】
１０    表示器
２０    表示板
２１    第１の表示板
２１ａ  第１の指標部（指標部）
２２    第２の表示板
２２ｂ  第２の指標部（指標部）
５０    回路基板
５１    コイルユニット
５２    コイル
６０    駆動装置
６１    指針軸
７０    指針
７１    迂回部（基部）
７２    指示部
７３    第１の指針部
７４    第２の指針部
７５    第３の指針部
７７    光源
９０    可撓性基板（配線部材）
９１    絶縁基板
９２    コイル状配線部
９３    導電配線部
９４    配線部
９５    円環部
９６    帯状部
Ｆ１    表面側コイル状配線部
Ｆ２    背面側コイル状配線部
Ｒ１    回転中心軸
【図１】
0005477623.tif 000002
【図２】
0005477623.tif 000003
【図３】
0005477623.tif 000004
【図４】
0005477623.tif 000005